(57)【要約】      （修正有）【課題】大きめの装飾体を使用でき、装着が容易で、手の指のみならず、足の指へも装着できる指飾りを提供する。【解決手段】装飾体とそれを設ける台座からなる装飾本体１０と、上記装飾本体を指に装着する装着部１からなる指飾りにおいて、装飾本体から垂設される縦棒２とその先端からそれぞれ反対横方向に張り出す横棒３からなる倒立Ｔ字状の部材をもって装着部１とする。【選択図】図１
0003152845.tif 000002
【実用新案登録請求の範囲】
【請求項１】
装飾体とそれを設ける台座からなる装飾本体と、上記装飾本体を指に装着する装着部からなる指飾りにおいて、装飾本体から垂設される縦棒とその先端からそれぞれ反対横方向に張り出す横棒からなる倒立Ｔ字状の部材をもって装着部としたことを特徴とする指飾り。
【請求項２】
装飾本体に対して装着部を着脱自在とした請求項１記載の指飾り。
【請求項３】
金属素材により装着部の全部または一部を構成した請求項１または２記載の指飾り。
【請求項４】
樹脂素材により装着部の全部または一部を構成した請求項１または２記載の指飾り。
【請求項５】
セラミック素材により装着部の全部または一部を構成した請求項１または２記載の指飾り。
【請求項６】
ガラス素材により装着部の全部または一部を構成した請求項１または２記載の指飾り。
【請求項７】
装着部の横棒を硬質のものに衝突させた時に任意の音色の打撃音が発生するように、横棒の大きさ、形状、素材を設定した請求項１から６のいずれかに記載の指飾り。
【考案の詳細な説明】
【技術分野】
【０００１】
この考案は手の指や足の指に装着して装身具として楽しむ指飾りに関する。
【背景技術】
【０００２】
手の指に宝石や貴金属、金属工芸品などの装飾体を装着する装身具としては指輪が一般的である。指輪は指に嵌めるリング体を装着部として装飾体を装着するものであるが、対象となる指は１本に限らず、２つのリングを連結して２本の指に嵌めるようにしたものも公知である（特許文献１、２）。なお、特許文献２には２つのリングを閉じた完全なリング状としたものの他に、一側面を切り欠きして２つのＣ字形を背合わせにした形状のものも開示されている。
【先行技術文献】
【特許文献】
【０００３】
【特許文献１】実願昭４９−０２０１６０号（実開昭５０−１０９７９６号）のマイクロフィルム
【特許文献２】特開平１０−２６２７１４号公報
【考案の概要】
【考案が解決しようとする課題】
【０００４】
従来の指輪は長い歴史をもつものであるが、１本の指で装飾体を支持する構造上、装飾体の大きさに限りがあり、大きな装飾体を使用できない不便さがあった。これに対し、２本のリングまたはＣ字形リングをもって２本の指で装飾体を支持する前記公知発明においては、より大きな装飾体を使用することが可能となる。
【０００５】
しかしながら、上記の公知発明においては２本のリングまたはＣ字形リングを２本の指に嵌めるので、これらの指同士の動きが嵌められたリングによって規制されてしまい、指の自由を奪う不便さがあった。
【０００６】
また、指にリングまたはＣ字形リングを嵌めることをもって装着手段とした従来技術の指輪においては、被装着者の指の太さに合致する他種類のサイズのリングを用意しなくてはならない不経済さがあった。
【０００７】
ところで、マニキュアに対するペディキュアの普及に示されるように、足の指に対する装飾の関心も高く、指輪を手の指だけでなく、足４の指にも装着することが望まれている。しかしながら、手の指と異なり、足の指は人により指の先端が膨張していることも多く、指の根元に指輪のサイズを合わせると指への嵌め入れが困難になる問題があった。また、２本のリングまたはＣ字形リングをもって２本の指で装飾体を支持する前記公知発明においては、２本の指に同時にリングを嵌める作業は手の指と異なり足の指の場合は面倒であるという問題もあった。
【課題を解決するための手段】
【０００８】
この考案は従来の指輪の問題点に鑑みて創作された全く新たな発想による指飾りに関するものであり、装飾体とそれを設ける台座からなる装飾本体と、上記装飾本体を指に装着する装着部からなる指飾りにおいて、装飾本体から垂設される縦棒とその先端からそれぞれ反対横方向に張り出す横棒からなる倒立Ｔ字状の部材をもって装着部としたことを特徴とする。
【考案の効果】
【０００９】
この考案の指飾りにおいては、倒立Ｔ字状の装着部の縦棒を２本の指の間に挿入すれば、装飾本体の台座部の底面と装着部の横棒をもって２本の指を上下から挟持することとなり、装飾本体は２本の指により支持されることとなる（図６〜８参照）。
【００１０】
従って、第一に、１本の指だけでは支持することが難しかった大きめの装飾体も指飾りに採用することが可能となり、デザインの自由度が高まる効果を得ることができる。
【００１１】
第二に、この考案の指飾りの装着部はあくまでも２本の指を上下から挟持するだけなので、それぞれの指は横方向には自由に移動することが可能であり、２本のリングまたはＣ字形リングを２本の指に嵌める従来技術の指輪のように指の自由を奪うことがない。
【００１２】
第三に、この考案の指飾りの装着部は従来技術の指輪のように指に嵌めるものではないので、指の大小の差に対する適応性が高く、従来技術の指輪のように多数の異なるサイズのものを用意しなくても、揃えるべきサイズは数種類で済む。
【００１３】
第四に、前記と同様の理由から、指の根元に対して指先が太い足の指の場合であっても問題なく装着することができ、しかも、２本の指に嵌めるのではなく、２本の指の間に挿入するだけなので足の指であっても抜き挿しがワンタッチで行え、足の指への指飾りの装着が可能となる。
【００１４】
以上のようにこの考案によれば、従来では実現不可能であった大きな装飾体を取り付けることができ、加えて手の指のみならず足の指へも装着でき、しかも指の大きさに合わせて他種類のサイズのものを用意しなくて済むコスト面で有利な指飾りが実現される。
【００１５】
また、この考案の指飾りを指に装着した場合、手の指や足の指の裏側には装着部の横棒が露出することになるが（図７参照）、この場合、手のひらや足裏を机や壁、床などの硬質のものを打ち当てることにより、これらへの装着部の衝突により快い打撃音を得ることができ、指飾りがあたかも打楽器のように作用する。
【図面の簡単な説明】
【００１６】
【図１】この考案の指飾りの斜視図。
【図２】同上、正面図。
【図３】同上、側面図。
【図４】同上、底面図。
【図５】この考案の指飾りの異なる実施例の分解正面図。
【図６】この考案の指飾りの装着方法を示す斜視図。
【図７】同上、底面図。
【図８】同上、平面底面図。
【考案を実施するための形態】
【００１７】
以下、この考案の指飾りの具体的実施例を添付図面に基づいて説明する。図１〜図４はこの考案の指飾りの第１実施例を示す図である。図中符号１０は装飾本体である。この実施例においては装飾体１０Ｂと台座部１０Ａを一体の金属工芸品として構成して装飾本体１０としているが、これらは別体に構成してもよいことはもちろんである。なお、装飾体としては宝石や貴金属、金属工芸品などが想定できる。
【００１８】
図中符号１は前記装飾本体１０を指に装着するための装着部であり、装飾本体から垂設される縦棒２とその先端からそれぞれ反対横方向に張り出す横棒３からなる倒立Ｔ字状に構成される。この場合、縦棒２の寸法は装着される指の太さと同等もしくはそれ以上であることが必要である。なお、横棒３の位置をオフセットするために縦棒２は前後方向に湾曲したものであってもよい。
【００１９】
前記装着部１の素材は金属の他、その全部または一部を樹脂、セラミック、ガラスとしてもよい。素材として比較的柔らかいプラスチック樹脂を採用した場合は、装着した指へのあたりがソフトとなり、指飾りを足の指に装着したときに違和感を解消できる。
【００２０】
図６〜図８はこの考案の指飾りの装着方法を示す図であり、倒立Ｔ字状の装着部１の縦棒１を２本の指Ｆの間に挿入すれば、指飾りは装飾本体１０の台座部１０Ｂの底面と装着部の横棒３をもって２本の指を上下から挟持して装着されることとなる。
【００２１】
ところでこの考案の指飾りはあたかも打楽器のように作用することは前記した通りであるが、この場合、装着部１の横棒３を硬質のものに衝突させた時に任意の音色の打撃音が発生するように、その大きさ、形状、素材を予め設定してもよい。
【００２２】
図５はこの考案の指飾りの第２実施例を示すものであり、ここでは装飾本体から垂設される縦棒２２と横棒２３からなる装着部２０を装飾本体３０に対し着脱自在としている。ここでは着脱の手段として、装着部２０の縦棒２２の先端に設けたネジ２４を装飾本体３０の底面に設けたネジ穴（図示せず）に螺合する構成を例示しているが、着脱手段はこれに限られないことは勿論である。この考案の指飾りにおいては、異なる寸法の装着部を数種類用意すれば殆どの指に適応することが確認されているが、装着部を装飾本体と一体でなく、このように着脱自在に構成すればより便利である。
【符号の説明】
【００２３】
１                装着部
２                縦棒
３                横棒
１０              装飾本体
【図１】
0003152845.tif 000003
【図２】
0003152845.tif 000004
【図３】
0003152845.tif 000005
【図４】
0003152845.tif 000006
【図５】
0003152845.tif 000007
【図６】
0003152845.tif 000008
【図７】
0003152845.tif 000009
【図８】
0003152845.tif 000010